(57)【要約】【課題】ユーザの状況に基づいたアプリケーションの起動アイコンの表示をより適切に行ってユーザの利便性を高めることが可能な携帯端末、情報表示システム、情報表示方法、及び情報表示プログラムを提供する。【解決手段】端末１は、アプリケーションの起動が行われた起動時点での、当該アプリケーションを特定する特定情報、起動時刻を特定する時刻情報、及び当該携帯端末が存在するスポットを特定するスポット情報を取得する部分１１〜１３と、取得された特定情報、時刻情報、及びスポット情報に基づいて、起動時刻及びスポットごとの各アプリケーションの起動頻度の統計情報を取得する部分１４，１５と、取得された統計情報に基づいて、現在時刻に対応する起動時刻、及び現在位置を含むスポットにおいて起動頻度が高い順にアプリケーションの起動アイコンを表示する部分１６と、を備える。【選択図】図１
2012215940.tif 000002
【特許請求の範囲】
【請求項１】
複数のアプリケーションの起動アイコンを表示する携帯端末であって、
前記アプリケーションの起動が行われた起動時点での、当該アプリケーションを特定する特定情報、起動時刻を特定する時刻情報、及び当該携帯端末が存在するスポットを特定するスポット情報を取得する取得手段と、
前記取得手段により取得された前記特定情報、前記時刻情報、及び前記スポット情報に基づいて、前記起動時刻及び前記スポットごとの各アプリケーションの起動頻度の統計情報を取得する演算手段と、
前記演算手段により取得された前記統計情報に基づいて、現在時刻に対応する起動時刻、及び現在位置を含むスポットにおいて起動頻度が高い順に前記起動アイコンを表示する表示手段と、
を備えることを特徴とする携帯端末。
【請求項２】
前記取得手段により取得される前記スポット情報が特定するスポットの大きさを変更する入力を受け付ける変更手段を更に備える、ことを特徴とする請求項１に記載の携帯端末。
【請求項３】
複数のアプリケーションの起動アイコンを表示する携帯端末、及び当該携帯端末と通信可能なサーバを含む情報表示システムであって、
前記携帯端末は、
前記アプリケーションの起動が行われた起動時点での、当該アプリケーションを特定する特定情報、起動時刻を特定する時刻情報、及び当該携帯端末が存在するスポットを特定するスポット情報を取得する取得手段と、
前記取得手段により取得された前記特定情報、前記時刻情報、及び前記スポット情報に基づいて、前記起動時刻及び前記スポットごとの各アプリケーションの起動頻度の統計情報を取得する演算手段と、
前記演算手段により取得された前記統計情報に基づいて、現在時刻に対応する起動時刻、及び現在位置を含むスポットにおいて起動頻度が高い順に前記起動アイコンを表示する表示手段と、
を備え、前記取得手段は、前記サーバから前記スポット情報を取得することを特徴とする情報表示システム。
【請求項４】
複数のアプリケーションの起動アイコンを表示する携帯端末が行なう情報表示方法であって、
前記アプリケーションの起動が行われた起動時点での、当該アプリケーションを特定する特定情報、起動時刻を特定する時刻情報、及び当該携帯端末が存在するスポットを特定するスポット情報を前記携帯端末が取得する取得ステップと、
前記取得ステップにより取得された前記特定情報、前記時刻情報、及び前記スポット情報に基づいて、前記起動時刻及び前記スポットごとの各アプリケーションの起動頻度の統計情報を前記携帯端末が取得する演算ステップと、
前記演算ステップにより取得された前記統計情報に基づいて、現在時刻に対応する起動時刻、及び前記携帯端末の現在位置を含むスポットにおいて起動頻度が高い順に前記起動アイコンを前記携帯端末が表示する表示ステップと、
を有することを特徴とする情報表示方法。
【請求項５】
複数のアプリケーションの起動アイコンを表示する情報表示プログラムであって、
コンピュータシステムを、
前記アプリケーションの起動が行われた起動時点での、当該アプリケーションを特定する特定情報、起動時刻を特定する時刻情報、及び当該携帯端末が存在するスポットを特定するスポット情報を取得する取得手段と、
前記取得手段により取得された前記特定情報、前記時刻情報、及び前記スポット情報に基づいて、前記起動時刻及び前記スポットごとの各アプリケーションの起動頻度の統計情報を取得する演算手段と、
前記演算手段により取得された前記統計情報に基づいて、現在時刻に対応する起動時刻、及び現在位置を含むスポットにおいて起動頻度が高い順に前記起動アイコンを表示する表示手段と、
として機能させることを特徴とする情報表示プログラム。
【発明の詳細な説明】
【技術分野】
【０００１】
本発明は、複数のアプリケーションの起動アイコンを表示する携帯端末及び情報表示プログラムと、当該携帯端末及び当該携帯端末と通信可能なサーバを含む情報表示システムと、当該携帯端末が行なう情報表示方法とに関する。
【背景技術】
【０００２】
従来、スマートフォンといったような、アプリケーションが有する機能を外部からダウンロードしてインストールすることが可能な携帯端末が提案されている。このような携帯端末に対して、多くのアプリケーションが機能としてダウンロード又はインストールされると、ユーザは、利用しようとする目的の機能としてのアプリケーションを探すのに苦労してしまう。
【０００３】
このような不都合を解消するため、例えば特許文献１には、使用地における機能の使用頻度の変化を考慮したユーザインタフェースを持つ携帯端末が開示されている。この携帯端末では、所定のエリアで使用頻度が高くなる機能を当該エリアで起動しやすくなるように、画面上の機能起動手段の配置を定義した設定情報が記憶されている。そして、この携帯端末では、自機が位置するエリアを特定し、この設定情報に基づいて、自機が位置するエリアに応じた態様で機能起動手段を表示する処理を行なう。
【先行技術文献】
【特許文献】
【０００４】
【特許文献１】特開２０１０−１４６２８６号公報
【発明の概要】
【発明が解決しようとする課題】
【０００５】
上記の特許文献１に記載の携帯端末では、所定の広がりを有する「エリア」で携帯端末の位置を特定している。ここで、通常は駅と駅との間はある程度の距離以上離れているため、例えば「Ａ駅」のエリアと「Ｂ駅」のエリアとは別の場所として扱われるのに対し、通常は駅と駅周辺施設との間はある程度の距離未満となるため、「Ａ駅」のエリアと「Ａ駅周辺のデパート」のエリアとは同じ場所として扱われる。
【０００６】
この結果、「Ａ駅」のエリアで表示すべき機能起動手段の配置と、「Ａ駅周辺のデパート」のエリアで表示すべき機能起動手段の配置とが異なるのが適切である場合であっても、同じ表示内容となってしまう。このため、この携帯端末のユーザに対して、より適切に使用場所に基づいた、機能としてのアプリケーションの起動アイコンを表示して利便性を高める余地が残されている。
【０００７】
そこで本発明は、上記の問題点を解消する為になされたものであり、ユーザの状況に基づいたアプリケーションの起動アイコンの表示をより適切に行ってユーザの利便性を高めることが可能な携帯端末、情報表示システム、情報表示方法、及び情報表示プログラムを提供することを目的とする。
【課題を解決するための手段】
【０００８】
本発明に係る携帯端末は、複数のアプリケーションの起動アイコンを表示する携帯端末であって、アプリケーションの起動が行われた起動時点での、当該アプリケーションを特定する特定情報、起動時刻を特定する時刻情報、及び当該携帯端末が存在するスポットを特定するスポット情報を取得する取得手段と、取得手段により取得された特定情報、時刻情報、及びスポット情報に基づいて、起動時刻及びスポットごとの各アプリケーションの起動頻度の統計情報を取得する演算手段と、演算手段により取得された統計情報に基づいて、現在時刻に対応する起動時刻、及び現在位置を含むスポットにおいて起動頻度が高い順に起動アイコンを表示する表示手段と、を備えることを特徴とする。
【０００９】
また、本発明に係る情報表示プログラムは、複数のアプリケーションの起動アイコンを表示する情報表示プログラムであって、コンピュータシステムを、アプリケーションの起動が行われた起動時点での、当該アプリケーションを特定する特定情報、起動時刻を特定する時刻情報、及び当該携帯端末が存在するスポットを特定するスポット情報を取得する取得手段と、取得手段により取得された特定情報、時刻情報、及びスポット情報に基づいて、起動時刻及びスポットごとの各アプリケーションの起動頻度の統計情報を取得する演算手段と、演算手段により取得された統計情報に基づいて、現在時刻に対応する起動時刻、及び現在位置を含むスポットにおいて起動頻度が高い順に起動アイコンを表示する表示手段と、として機能させることを特徴とする。
【００１０】
この携帯端末及び情報表示プログラムによれば、まず、アプリケーションの起動時点での、特定情報、時刻情報、及びスポット情報を取得し、これらの情報に基づいて、起動時刻及びスポットごとの各アプリケーションの起動頻度の統計情報を取得する。そして、この携帯端末は、統計情報に基づいて、現在時刻に対応する起動時刻、及び現在位置を含むスポットにおいて起動頻度が高い順に起動アイコンを表示する。このように、携帯端末が存在する場所は、スポットで特定される。更に、スポットごとのみの起動頻度の統計情報に基づくのではなく、スポット及び起動時刻ごとのアプリケーションの起動頻度の統計情報に基づいて、現在時刻に対応する起動時刻、及び現在位置を含むスポットにおいて起動頻度が高い順に起動アイコンが表示される。このため、携帯端末のユーザの状況に基づいたアプリケーションの起動アイコンの表示をより適切に行ってユーザの利便性を高めることが可能になる。
【００１１】
また、携帯端末は、取得手段により取得されるスポット情報が特定するスポットの大きさを変更する入力を受け付ける変更手段を更に備えるのも好ましい。これにより、スポット情報が特定するスポットの大きさを変更することが可能になる。
【００１２】
本発明に係る情報表示システムは、複数のアプリケーションの起動アイコンを表示する携帯端末、及び当該携帯端末と通信可能なサーバを含む情報表示システムであって、携帯端末は、アプリケーションの起動が行われた起動時点での、当該アプリケーションを特定する特定情報、起動時刻を特定する時刻情報、及び当該携帯端末が存在するスポットを特定するスポット情報を取得する取得手段と、取得手段により取得された特定情報、時刻情報、及びスポット情報に基づいて、起動時刻及びスポットごとの各アプリケーションの起動頻度の統計情報を取得する演算手段と、演算手段により取得された統計情報に基づいて、現在時刻に対応する起動時刻、及び現在位置を含むスポットにおいて起動頻度が高い順に起動アイコンを表示する表示手段と、を備え、取得手段は、サーバからスポット情報を取得することを特徴とする。
【００１３】
この情報表示システムは、まず、アプリケーションの起動時点での、特定情報、時刻情報、及びスポット情報を取得し、これらの情報に基づいて、起動時刻及びスポットごとの各アプリケーションの起動頻度の統計情報を取得する。そして、この携帯端末は、統計情報に基づいて、現在時刻に対応する起動時刻、及び現在位置を含むスポットにおいて起動頻度が高い順に起動アイコンを表示する。ここで、この携帯端末は、スポット情報をサーバから取得する。このように、携帯端末が存在する場所は、スポットで特定される。更に、スポットごとのみの起動頻度の統計情報に基づくのではなく、スポット及び起動時刻ごとのアプリケーションの起動頻度の統計情報に基づいて、現在時刻に対応する起動時刻、及び現在位置を含むスポットにおいて起動頻度が高い順に起動アイコンが表示される。このため、携帯端末のユーザの状況に基づいたアプリケーションの起動アイコンの表示をより適切に行ってユーザの利便性を高めることが可能になる。
【００１４】
本発明に係る情報表示方法は、複数のアプリケーションの起動アイコンを表示する携帯端末が行なう情報表示方法であって、アプリケーションの起動が行われた起動時点での、当該アプリケーションを特定する特定情報、起動時刻を特定する時刻情報、及び当該携帯端末が存在するスポットを特定するスポット情報を携帯端末が取得する取得ステップと、取得ステップにより取得された特定情報、時刻情報、及びスポット情報に基づいて、起動時刻及びスポットごとの各アプリケーションの起動頻度の統計情報を携帯端末が取得する演算ステップと、演算ステップにより取得された統計情報に基づいて、現在時刻に対応する起動時刻、及び携帯端末の現在位置を含むスポットにおいて起動頻度が高い順に起動アイコンを携帯端末が表示する表示ステップと、を有することを特徴とする。
【００１５】
この情報表示方法では、まず、アプリケーションの起動時点での、特定情報、時刻情報、及びスポット情報を携帯端末が取得し、これらの情報に基づいて、起動時刻及びスポットごとの各アプリケーションの起動頻度の統計情報を携帯端末が取得する。そして、統計情報に基づいて、現在時刻に対応する起動時刻、及び現在位置を含むスポットにおいて起動頻度が高い順に起動アイコンを携帯端末が表示する。このように、携帯端末が存在する場所は、スポットで特定される。更に、スポットごとのみの起動頻度の統計情報に基づくのではなく、スポット及び起動時刻ごとのアプリケーションの起動頻度の統計情報に基づいて、現在時刻に対応する起動時刻、及び現在位置を含むスポットにおいて起動頻度が高い順に起動アイコンが表示される。このため、携帯端末のユーザの状況に基づいたアプリケーションの起動アイコンの表示をより適切に行ってユーザの利便性を高めることが可能になる。
【発明の効果】
【００１６】
本発明によれば、ユーザの状況に基づいたアプリケーションの起動アイコンの表示をより適切に行ってユーザの利便性を高めることが可能な携帯端末、情報表示システム、及び情報表示方法を提供することができる。
【図面の簡単な説明】
【００１７】
【図１】本実施形態に係る情報表示システム１０の全体的な機能構成を説明するためのシステム構成図である。
【図２】端末１の主な物理構成の概略を説明するための物理構成図である。
【図３】スポット情報と特定情報と時刻情報とが関連付けて格納される場合の格納例を説明するためのテーブル構成図である。
【図４】「推奨アプリ」を表示させるためのアイコンＩがユーザによって選択された後の、端末１の表示内容を説明するための画面説明図である。
【図５】サーバ２の主な物理構成の概略を説明するための物理構成図である。
【図６】地図上のスポットとスポット情報とが関連付けて格納される場合の格納例を説明するためのテーブル構成図である。
【図７】スポットの大きさを変更する際の端末１における画面遷移を示す遷移図である。
【図８】情報収集フェーズにおける処理の流れを説明するためのフローチャートである。
【図９】スポット情報編集フェーズにおける処理の流れを説明するためのフローチャートである。
【図１０】表示フェーズにおける処理の流れを説明するためのフローチャートである。
【図１１】情報表示プログラムＰの構成図である。
【発明を実施するための形態】
【００１８】
以下、添付図面を参照しながら本発明の好適な実施形態を説明する。なお、図面の説明において同一要素には同一符号を付し、重複する説明を省略する。
【００１９】
（１）情報表示システムの構成
まず、本実施形態に係る情報表示システムの機能構成について、図１を用いて説明する。図１は、本実施形態に係る情報表示システム１０の全体的な機能構成を説明するためのシステム構成図である。情報表示システム１０は、複数のアプリケーションの起動アイコン（例えば、ショートカットアイコン等）を表示することが可能な端末１と、端末１と通信可能なサーバ２とを備えるシステムである。
【００２０】
ここで、端末１は、スマートフォンや携帯電話機といったような、アプリケーションが有する機能を外部（例えば、サーバ２等）からダウンロードしてインストールすることが可能な携帯端末である。サーバ２は、例えば、移動通信事業者等によって管理される装置である。端末１とサーバ２との間には通信ネットワーク（図示せず）が存在しており、この通信ネットワークは、移動電話通信網、無線ＬＡＮ通信網、インターネット（公衆ＩＰ網）、簡易携帯電話（ＰＨＳ）網等から構成される通信網である。
【００２１】
（２）端末１の構成
引き続き、本実施形態に係る端末１の構成について、図１及び図２を用いて説明する。図２は、端末１の主な物理構成の概略を説明するための物理構成図である。
【００２２】
端末１は、図２に示されるように、主な物理的な構成要素としてＣＰＵ１０１（Central Processing Unit）、ＲＡＭ１０２（Random Access Memory）、ＲＯＭ１０３（Read Only Memory）、操作部１０４、無線通信部１０５、ディスプレイ１０６、及びアンテナ１０７等のハードウェアにより構成されている携帯可能なコンピュータ端末である。これらの構成要素が動作することにより、端末１が有する各機能が発揮される。
【００２３】
端末１は、図１に示されるように、主な機能的な構成要素として、アプリ起動判別部１１（取得手段）、位置情報取得部１２（取得手段）、スポット情報取得部１３（取得手段）、端末データベース１４（演算手段）、優先順位演算部１５（演算手段）、表示部１６（表示手段）、及びスポット情報編集指示送信部１７（変更手段）を備えて構成されている。
【００２４】
アプリ起動判別部１１は、端末１内においてアプリケーションが起動されると、このアプリケーション（又はアプリケーションを管理するモジュール等）から起動通知信号を受信するセンサ部分である。アプリ起動判別部１１は、起動通知信号を受信すると、このアプリケーションが起動されたことを検知する。
【００２５】
位置情報取得部１２は、アプリ起動判別部１１によってアプリケーションの起動が検知されると、端末１の測位を行って端末１の現在位置に関する現在地情報を取得する測位処理部分である。この現在地情報は、例えば、緯度及び経度と、現在時刻を示す現在時刻情報とを含む情報である。端末１の測位は、例えば、ＧＰＳ（Global Positioning System、即ち、全地球測位システム）衛星からの信号を用いて行われる。位置情報取得部１２は、端末１の測位を完了すると、端末１の現在地情報をスポット情報取得部１３に出力する。
【００２６】
スポット情報取得部１３は、位置情報取得部１２から入力された端末１の現在地情報をサーバ２に送信することによって、端末１が存在するスポットを特定するスポット情報をサーバ２に問い合わせて取得する通信処理部分である。スポット情報取得部１３は、サーバ２に対して現在地情報と地図情報との照合を行わせることによって、サーバ２からスポット情報を取得する。ここで、端末１が存在するスポットとは、端末１が存在する場所の種類の詳細のことである。
【００２７】
このスポット情報は、特開２０１０−１４６２８６号公報に記載の「エリア」よりも狭い場所の種類を特定しており、例として、駅の構内か、ショッピングセンター内か、居酒屋内か、自宅内か、あるいは電車内か、といった程度まで詳細に特定する情報である。スポット情報取得部１３は、スポット情報を取得すると、後述のアプリ特定兼時刻情報と関連付けて（括り付けて）、端末データベース１４にアプリ起動情報として書き込む。
【００２８】
端末データベース１４は、スポット情報とアプリ特定兼時刻情報とを関連付けて（括り付けて）、アプリ起動情報として格納するデータベースである。アプリ特定兼時刻情報は、アプリ起動判別部１１によって起動が検知されたアプリケーションを特定する特定情報と、起動時刻を特定する時刻情報とを含む。
【００２９】
ここで、スポット情報と、起動が検知されたアプリケーションを特定する特定情報と、起動時刻を特定する時刻情報とが、関連付けて格納される場合の格納例を、図３に示す。図３に示されるように、起動が検知されたアプリケーションを特定する特定情報であるアプリケーション名「Ａｐｐｌｉ＿１」が、起動時刻を特定する時刻情報である「２０１１／０１／０５  １１：３０」と、起動時のスポット情報である「駅」と、関連付けて格納されている。なお、端末１のユーザによるアプリケーションの起動傾向の変化を考慮して、アプリ起動情報は、端末データベース１４に書き込まれてから所定の日数経過後、削除される。この所定の日数は、端末１に対するユーザによる入力設定によって変更可能であり、例えば、３０日間である。
【００３０】
優先順位演算部１５は、端末データベース１４に格納されたアプリ起動情報（即ち、特定情報、時刻情報、及びスポット情報）に基づいて、起動時刻及びスポットごとの各アプリケーションの起動頻度の統計情報を取得する演算処理部分である。例えば、アプリケーション名が「Ａｐｐｌｉ＿８」であるアプリケーションが、スポット情報が「駅」であるスポットにおいて、時刻情報が「２０１１／０１／０９  １１：３０」で特定される日時に起動され、且つ、スポット情報が「駅」であるスポットにおいて、時刻情報が「２０１１／０１／１０  １１：３０」で特定される日時に起動された場合、時刻「１１：３０」の時点でスポット「駅」においては、アプリケーション名が「Ａｐｐｌｉ＿８」であるアプリケーションが２回という起動頻度で起動されたという統計情報が取得される。起動時刻及びスポットごとの各アプリケーションの起動頻度の高さは、表示部１６において、各アプリケーションの起動アイコンの表示の際の優先順位の高さとなる。
【００３１】
表示部１６は、優先順位演算部１５により取得された統計情報に基づいて、現在時刻情報が示す現在時刻に対応する起動時刻、及び現在位置を含むスポットにおいて起動頻度が高い順に、該当するアプリケーションの起動アイコンを優先的に表示するディスプレイとその制御部分である。例えば、時刻「１１：３０」の時点でスポット「駅」においては、アプリケーション名が「Ａｐｐｌｉ＿８」であるアプリケーションが２回という起動頻度で起動され、且つ、その他のアプリケーションが１回という起動頻度で起動された場合、起動頻度が最も高い、アプリケーション名が「Ａｐｐｌｉ＿８」であるアプリケーションの起動アイコンが最優先で表示される。なお、アプリケーション同士で起動頻度が同じ場合は、起動時刻が新しい順に（即ち、最終起動順で）優先的に表示される。
【００３２】
ここで、起動アイコンの最優先での表示とは、例えば、図４に示されるように、端末１のユーザの状況に基づいて起動が推奨されるアプリケーション一覧を示す画面「推奨アプリ」を表示させるためのアイコンＩがユーザによって選択された後の、端末１のディスプレイ部分のうち最上段、且つ、最も左に寄った位置といったような最もユーザが気付きやすい位置（即ち、「１」で示される位置）での表示のことである。なお、アイコンＩがユーザによって選択されると、位置情報取得部１２が呼び出され、端末１の測位が行われて端末１の現在位置に関する現在地情報が取得され、その後の上記の各種処理が実行されると、最終的にアイコン表示領域が呼び出されて、付与された優先順位に基づいた複数の起動アイコンが表示される。順次、統計情報によって示される起動頻度が低くなるに従って、最優先での表示位置の右隣の位置（即ち、「２」で示される位置）、更に、右隣の位置（即ち、「３」で示される位置）へと変わっていき、最上段の次は直下の段（即ち、「４」、「５」、「６」で示される位置）へと変わっていく。
【００３３】
スポット情報編集指示送信部１７は、サーバ２に格納された、起動時のスポット情報が特定するスポットの大きさを変更する入力を受け付ける入力受付部分である。スポットの大きさを変更する入力は、端末１のユーザによって、端末１に対するタッチ入力やキー押下といった操作により行われる。
【００３４】
ここで、起動時のスポット情報が特定するスポットの大きさは、例えば、図３に示されるように、デフォルト（即ち、初期の設定）で「駅」、「線路」、「オフィスビル」、「高速道路」、「観光地」、「商店」といった程度までの大きさである。端末１のユーザが、スポットの大きさを更に小さく規定（即ち、細かく分類）することを望む場合があるため、スポット情報編集指示送信部１７がこのニーズに応える。スポット情報編集指示送信部１７は、例えば、「観光地」というスポットの大きさを、予め用意された「温泉」、「スキー場」、「ゴルフ場」、「キャンプ場」等に変更する入力（即ち、編集内容）を受け付ける。スポット情報編集指示送信部１７は、この編集内容を受け付けると、サーバ２に送信して変更処理を行なわせる。
【００３５】
（３）サーバ２の構成
引き続き、本実施形態に係るサーバ２の構成について、図１及び図５を用いて説明する。図５は、サーバ２の主な物理構成の概略を説明するための物理構成図である。
【００３６】
サーバ２は、図５に示されるように、主な物理的な構成要素としてＣＰＵ２０１（Central Processing Unit）、ＲＡＭ２０２（Random Access Memory）、ＲＯＭ２０３（Read Only Memory）、通信を行うための通信モジュール２０４、及びハードディスク等の補助記憶装置２０５等のハードウェアを備えるコンピュータである。これらの構成要素が動作することにより、サーバ２が有する各機能が発揮される。
【００３７】
サーバ２は、図１に示されるように、主な機能的な構成要素として、スポット情報取得受付部２１（検索手段）、サーバデータベース２２（格納手段）、及びスポット情報編集受付部２３（受信手段）を備えて構成されている。
【００３８】
スポット情報取得受付部２１は、スポット情報取得部１３から端末１の現在地情報を受信することによって、スポット情報の問い合わせを受け付ける通信処理部分である。スポット情報取得受付部２１は、端末１の現在地情報を受信すると、サーバデータベース２２を用いて現在地情報と地図情報との照合を行って、現在地情報に対応するスポット情報を取得する。スポット情報取得受付部２１は、取得したスポット情報をスポット情報取得部１３に送信することによって応答する。
【００３９】
サーバデータベース２２は、地図上のスポットとスポット情報とを関連付けて（括り付けて）格納するデータベースである。地図上のスポットとは、端末１の現在地情報を既存の地図情報と照合した際における、この現在地情報に対応付けられる初期設定値である。スポット情報は、ユーザによる変更設定が可能であり、この変更設定の入力はスポット情報編集指示送信部１７が受け付ける。
【００４０】
ここで、地図上のスポットと、スポット情報とが、関連付けて格納される場合の格納例を、図６に示す。図６に示されるように、端末１の現在地情報に対応付けられた地図上のスポット「商業施設」が、スポット情報「デパート、スーパー、商店街、…」と、関連付けて格納されている。
【００４１】
スポット情報編集受付部２３は、スポット情報編集指示送信部１７から編集内容を受信する通信処理部分である。スポット情報編集受付部２３は、編集内容を受信すると、サーバデータベース２２に格納されているスポット情報によって示されるスポットの大きさを、この編集内容に従って変更して更新する処理を行なう。
【００４２】
（４）スポットの大きさを変更する際の端末１における画面遷移
引き続き、スポットの大きさを変更する際の端末１における画面遷移の一例について、図７を用いて説明する。図７は、スポットの大きさを変更する際の端末１における画面遷移を示す遷移図である。例えば、上述の「推奨アプリ」画面が表示部１６によって表示されている状態で、端末１の「ｍｅｎｕ」ボタンが押下されると、スポットの大きさを変更する画面を表示するためにブラウザが起動し、「スポット情報編集画面」が表示される。
【００４３】
この「スポット情報編集画面」では、スポットの大きさを変更して編集する対象を選択可能にする「編集対象選択画面」が表示されている。この「編集対象選択画面」には、編集対象の候補として「駅」ボタン、「線路」ボタン、「オフィスビル」ボタン、及び「観光地」ボタンが示されており、ここで「駅」ボタンが選択されると、「駅」というスポットの大きさを変更可能にする「駅情報編集画面」が表示される。この「駅情報編集画面」には、スポットの大きさを変更しない『「駅」で扱う』ボタン、及びスポットの大きさを変更する『「駅」を区別する』ボタンが示されている。ここで、スポットの大きさを変更するためには、端末１のユーザは『「駅」を区別する』ボタンを選択すればよい。
【００４４】
（５）情報表示システム１０における情報表示処理の流れ
引き続き、情報表示システム１０における情報表示処理（情報表示方法）の流れについて、図８〜図１０を用いて説明する。情報表示処理は、端末１のユーザの起動履歴に関する情報を収集するための情報収集フェーズと、起動が推奨されるアプリケーション一覧の表示の際の基準となるスポットの大きさをユーザが編集して変更するためのスポット情報編集フェーズと、起動が推奨されるアプリケーション一覧を表示するための表示フェーズと、を有して構成されている。
【００４５】
ここで、図８は、情報収集フェーズにおける処理の流れを説明するためのフローチャートであり、図９は、スポット情報編集フェーズにおける処理の流れを説明するためのフローチャートであり、図１０は、表示フェーズにおける処理の流れを説明するためのフローチャートである。
【００４６】
一番目に、図８を用いて情報収集フェーズにおける処理の流れを説明する。
【００４７】
まず、端末１内のアプリケーションが起動されると、アプリ起動判別部１１が、このアプリケーションから起動通知信号を受信し、このアプリケーションが起動されたことを検知する（ステップＳ０１）。アプリ起動判別部１１によってアプリケーションの起動が検知されると、位置情報取得部１２が、端末１の測位を行って端末１の現在位置に関する現在地情報を取得する（ステップＳ０２）。位置情報取得部１２は、端末１の測位を完了すると、端末１の現在地情報をスポット情報取得部１３に出力する。
【００４８】
次に、スポット情報取得部１３が、端末１が存在するスポットを特定するスポット情報を、サーバ２のスポット情報取得受付部２１に問い合せると、スポット情報取得受付部２１が、サーバデータベース２２に照会して、取得したスポット情報をスポット情報取得部１３に送信する（ステップＳ０３、取得ステップ）。そして、スポット情報取得部１３が、スポット情報を取得すると、アプリ特定兼時刻情報と関連付けて（括り付けて）、端末データベース１４にアプリ起動情報として書き込む（ステップＳ０４）。これにより、情報収集フェーズに関する一連の処理は終了する（ステップＳ０５）。
【００４９】
二番目に、図９を用いてスポット情報編集フェーズにおける処理の流れを説明する。
【００５０】
まず、起動時のスポット情報が特定するスポットの大きさは、例えば、デフォルト（即ち、初期の設定）で「駅」、「線路」、「オフィスビル」、「高速道路」、「観光地」、「商店」といった程度までの大きさである。端末１のユーザによっては、スポットの大きさを更に小さく規定（即ち、細かく分類）することを望む場合があるため、スポット情報編集指示送信部１７がこのニーズに応える。スポット情報編集指示送信部１７が、例えば、「観光地」というスポットの大きさを、予め用意された「温泉」、「スキー場」、「ゴルフ場」、「キャンプ場」等に変更する入力（即ち、編集内容）を受け付ける（ステップＳ１１）。スポット情報編集指示送信部１７は、この編集内容を受け付けると、サーバ２のスポット情報編集受付部２３に編集内容を送信して、サーバデータベース２２に対する変更処理を行なわせる。これにより、スポット情報編集フェーズに関する一連の処理は終了する（ステップＳ１２）。
【００５１】
三番目に、図１０を用いて表示フェーズにおける処理の流れを説明する。
【００５２】
まず、端末１のユーザの状況に基づいて起動が推奨されるアプリケーション一覧を示す画面「推奨アプリ」を表示させるためのアイコンＩがユーザによって選択される（ステップＳ２１）と、位置情報取得部１２が呼び出されて、位置情報取得部１２が、端末１の測位を行って端末１の現在位置に関する現在地情報を取得する（ステップＳ２２）。位置情報取得部１２は、端末１の測位を完了すると、端末１の現在地情報をスポット情報取得部１３に出力する。
【００５３】
次に、スポット情報取得部１３が、端末１が存在するスポットを特定するスポット情報を、サーバ２のスポット情報取得受付部２１に問い合せると、スポット情報取得受付部２１は、サーバデータベース２２に照会して、取得したスポット情報をスポット情報取得部１３に送信する（ステップＳ２３、取得ステップ）。そして、優先順位演算部１５が、端末データベース１４に対して、格納されたアプリ起動情報（即ち、特定情報、時刻情報、及びスポット情報）を問い合わせて取得する（ステップＳ２４）。
【００５４】
次に、優先順位演算部１５が、端末データベース１４に格納されたアプリ起動情報（即ち、特定情報、時刻情報、及びスポット情報）に基づいて、起動時刻及びスポットごとの各アプリケーションの起動頻度の統計情報を取得する（ステップＳ２５、演算ステップ）。そして、表示部１６が、優先順位演算部１５により取得された統計情報に基づいて、現在時刻情報が示す現在時刻に対応する起動時刻、及び現在位置を含むスポットにおいて起動頻度が高い順に、該当するアプリケーションの起動アイコンを優先的に表示する（ステップＳ２６、表示ステップ）。これにより、表示フェーズに関する一連の処理は終了する（ステップＳ２７）。
【００５５】
（６）本実施形態による作用及び効果
引き続き、本実施形態に係る情報表示システム１０に含まれる端末１による作用及び効果について説明する。端末１によれば、まず、アプリケーションの起動時点での、特定情報、時刻情報、及びスポット情報を取得し、これらの情報に基づいて、起動時刻及びスポットごとの各アプリケーションの起動頻度の統計情報を取得する。そして、この端末１は、統計情報に基づいて、現在時刻に対応する起動時刻、及び現在位置を含むスポットにおいて起動頻度が高い順に起動アイコンを優先的に表示する。
【００５６】
このように、端末１が存在する場所は、特開２０１０−１４６２８６号公報に記載の「エリア」よりも狭い場所の種類を特定するスポットで特定される。更に、スポットごとのみの起動頻度の統計情報に基づくのではなく、スポット及び起動時刻ごとのアプリケーションの起動頻度の統計情報に基づいて、現在時刻に対応する起動時刻、及び現在位置を含むスポットにおいて起動頻度が高い順に起動アイコンが推奨表示される。このため、端末１のユーザの過去のアプリケーション選択傾向の状況に基づいた、アプリケーションの起動アイコンの表示をより適切に行って、使用したい目的のアプリケーションの起動アイコンを容易に探しやすくして、ユーザの利便性を高めることが可能になる。
【００５７】
また、端末１は、取得されるスポット情報が特定するスポットの大きさを変更する入力をユーザ操作により受け付けるスポット情報編集指示送信部１７を備える。これにより、端末１のユーザは、スポット情報が特定するスポットの大きさを変更することが可能になる。
【００５８】
（７）コンピュータシステムを端末１として機能させるための情報表示プログラム
引き続き、コンピュータシステムを端末１として機能させるための情報表示プログラムＰについて、図１１に示す構成図を併せて用いながら説明する。図１１は、情報表示プログラムＰの構成図である。
【００５９】
情報表示プログラムＰは、図１１に示されるように、処理を統括するメインモジュールＰ０と、アプリ起動判別モジュールＰ１と、位置情報取得モジュールＰ２と、スポット情報取得モジュールＰ３と、端末データベースモジュールＰ４と、優先順位演算モジュールＰ５と、表示モジュールＰ６と、スポット情報編集指示送信モジュールＰ７と、を備えて構成される。
【００６０】
ここで、アプリ起動判別モジュールＰ１、位置情報取得モジュールＰ２、スポット情報取得モジュールＰ３、端末データベースモジュールＰ４、優先順位演算モジュールＰ５、表示モジュールＰ６、及びスポット情報編集指示送信モジュールＰ７のそれぞれを動作させることによって実現する機能は、上述したアプリ起動判別部１１、位置情報取得部１２、スポット情報取得部１３、端末データベース１４、優先順位演算部１５、表示部１６、及びスポット情報編集指示送信部１７のそれぞれの機能と同様である。
【００６１】
（８）変形例
上記の実施例では、位置情報取得部１２による端末１の測位はＧＰＳ衛星からの信号を用いて行われるとして説明したが、測位方法は特に限定されず、例えば、移動電話通信網が有する基地局と端末１との距離関係や位置関係に基づいて行われてもよい。
【産業上の利用可能性】
【００６２】
本発明によれば、ユーザの状況に基づいたアプリケーションの起動アイコンの表示をより適切に行ってユーザの利便性を高めることが可能な携帯端末、情報表示システム、情報表示方法、及び情報表示プログラムを提供することができる。
【符号の説明】
【００６３】
１…端末、２…サーバ、１０…情報表示システム、１１…アプリ起動判別部、１２…位置情報取得部、１３…スポット情報取得部、１４…端末データベース、１５…優先順位演算部、１６…表示部、１７…スポット情報編集指示送信部、２１…スポット情報取得受付部、２２…サーバデータベース、２３…スポット情報編集受付部、１０１…ＣＰＵ、１０２…ＲＡＭ、１０３…ＲＯＭ、１０４…操作部、１０５…無線通信部、１０６…ディスプレイ、１０７…アンテナ、２０１…ＣＰＵ、２０２…ＲＡＭ、２０３…ＲＯＭ、２０４…通信モジュール、２０５…補助記憶装置、Ｉ…アイコン、Ｐ…情報表示プログラム、Ｐ０…メインモジュール、Ｐ１…アプリ起動判別モジュール、Ｐ２…位置情報取得モジュール、Ｐ３…スポット情報取得モジュール、Ｐ４…端末データベースモジュール、Ｐ５…優先順位演算モジュール、Ｐ６…表示モジュール、Ｐ７…スポット情報編集指示送信モジュール。
【図１】
2012215940.tif 000003
【図２】
2012215940.tif 000004
【図３】
2012215940.tif 000005
【図４】
2012215940.tif 000006
【図５】
2012215940.tif 000007
【図６】
2012215940.tif 000008
【図７】
2012215940.tif 000009
【図８】
2012215940.tif 000010
【図９】
2012215940.tif 000011
【図１０】
2012215940.tif 000012
【図１１】
2012215940.tif 000013